(57)【特許請求の範囲】
【請求項１】
上部に開口を有する容器内に；
針の両端が上下方向に向いた、マイナスの高電圧が印加される針電極を設け；
前記針電極の下方に第一の円筒電極を設け；
前記針電極の上方に、先端に前記開口を備えた第二の円筒電極を設け；
前記容器の側面に吸込み口を開口させ；
前記吸込み口から前記第一の円筒電極に通じるダクトを設け；
前記ダクト内に前記針電極の下部を露出させ；
前記第一の円筒電極の下方に液体又はゲル状薬剤の収納部を設け；
さらに前記開口の先に、ディフューザーを設け；
前記ダクト内において、前記針電極の下端と前記第一の円筒電極との間でコロナ放電がなされて、前記吸込み口から前記第一の円筒電極を通過し前記液体又はゲル状薬剤の収納部に収納されている液体又はゲル状薬剤の表面へと向かう下向流のイオン風を生じさせ、かつ；
前記針電極の上端と前記第二の円筒電極との間でコロナ放電がなされて、前記液体又はゲル状薬剤の収納部に収納されている液体又はゲル状薬剤の表面から前記第二の円筒電極を通過し前記開口へと向かう上向流のイオン風を生じさせ；
前記下向流のイオン風を利用して、前記液体又はゲル状薬剤の収納部に収納されている液体、或いは前記液体又はゲル状薬剤収納部に収納されているゲル状薬剤中に取り込まれている水溶性薬剤、を蒸散させ微粒化させると共にこの微粒化した液体にマイナスの電荷を帯びさせ、；
前記上向流のイオン風を利用して、この微粒化しマイナスの電荷を帯びた液体を上昇させて前記第二の円筒電極先端の前記開口を通じて前記ディフューザーへと送り；
前記開口から前記ディフューザーへと送られた、微粒化しマイナスの電荷を帯びた液体を、前記ディフューザーにより、減速かつ拡散させながら、外部へ放出させる；
ことを特徴とする、
微粒化した液体の放出装置。
【請求項２】
前記第一の円筒電極の直径が、前記第二の円筒電極の直径より大きいものである、請求項１に記載の装置。
【請求項３】
前記液体が、水又は化粧水である、請求項１又は２に記載の装置。
【請求項４】
前記液体が、芳香成分、除菌成分、及び消臭成分から選ばれた１種以上の成分を含むものである、請求項１乃至３のいずれかに記載の装置。
【請求項５】
前記ゲル状薬剤が、ゲル化剤に水溶性薬剤を取り込んでいるものである、請求項１乃至４のいずれかに記載の装置。
【請求項６】
前記ゲル化剤が、高吸水性樹脂、カラギーナン、ローカストビーンガム、寒天、ゼラチン、グアーガム、ジェランガム、ペクチン、及びキサンタンガムよりなる群から選ばれた１種以上のものである、請求項５に記載の装置。
【請求項７】
前記ゲル状薬剤が、高吸水性樹脂に水溶性薬剤を染み込ませてこれに取り込まれているビーズ状のものである、請求項５に記載の装置。
【請求項８】
前記水溶性薬剤が、芳香成分、除菌成分、及び消臭成分から選ばれた１種以上の成分を含むものである、請求項５乃至７のいずれかに記載の装置に関するものである。
【発明の詳細な説明】
【技術分野】
【０００１】
本発明は、微粒化した液体の放出装置に関し、詳しくは微粒化した液体にマイナスの電荷を帯びさせ放出する装置に関する。
【背景技術】
【０００２】
消臭剤、芳香剤、除菌剤などを含む液体を微粒化して放出する装置が知られている。
例えば、消臭剤液が供給されるタンクと、消臭剤液を微粒化させるためのアトマイザと、該タンク内において微粒化された消臭剤液を所定の空気に対して噴霧するノズルを備えた消臭システムが提案されている（特許文献１参照）。
【０００３】
しかしながら、この消臭システムは、「制御盤４０からの命令に基づいてエアポンプ３０が稼動し、タンク２内の消臭剤液３はアトマイザ２５によって微粒化される。こうして微粒化された消臭剤液３は、搬送管３５によって搬送されてノズル３６から噴霧される。従って、ノズル３６から所定の空気に対して消臭剤液３を噴霧することにより、その空気を消臭することができる。」（特許文献１の段落００２０参照）ものとされており、全体としてかなり大掛かりなシステムとなっている。
【０００４】
また、アロマテラピー用のエッセンシャルオイルを含んだ水を貯留するタンク、前記タンク内に空気を吸引導入するファン羽根、前記ファン羽根を回転させる電気モータなど、を備えた電気芳香拡散機が提案されている（特許文献２参照）。
さらに、超音波振動子を配置した超音波式の芳香拡散機も提案されている（例えば、特許文献３参照）。
しかしながら、これらの芳香拡散機は、ファンなどのモータ類や超音波発生器などを用いる必要がある。
【０００５】
このように従来から提案されている装置は、かなり大掛かりなシステムであったり、或いは、ファンなどのモータ類や超音波発生器などを用いる必要があることから、消費電力もある程度必要とされており、よりシンプルで消費電力も著しく少なく、しかも液体を微粒化して放出する能力が高いことから、消臭能力や芳香拡散能力や除菌能力などにも優れたものとすることができる、液体を微粒化して放出する装置が要望されている。
【０００６】
本発明者らは、上記従来の問題点を解消しうる装置として、液体を微粒化して放出する装置を開発し、出願している（特願２０１５−１０５５４３号）。
上記装置は、ファンなどのモータ類や超音波発生器などを一切用いる必要がなく、よりシンプルで消費電力も著しく少なく、しかも液体を微粒化して放出する能力が高いことから、消臭能力や芳香拡散能力や除菌能力などにも優れたものとすることができるものであった。
【０００７】
上記装置は、液体を微粒化して放出する能力に優れており、霧化、蒸散させられた微粒化物が層流として出てくることから、これを遠くへ飛ばす力があって、部屋などの隅々まで行き渡らせることができるものの、いい意味で放出する勢いが良すぎていて、霧化、蒸散させられた微粒化物を放出した付近に留まらせることは想定されていなかった。
このため、例えば、人の顔（顔肌）など近くに向けて放出したときに、特に就寝時などに、顔の付近に長い間漂わせておくことが困難であり、美顔、美肌などの用途に対しては相応しいものとは言えなかった。
【先行技術文献】
【特許文献】
【０００８】
【特許文献１】特許第３４９５１２４号公報
【特許文献２】特開２００４−１４７７９９号公報
【特許文献３】実用新案登録第３１５７６２９号公報
【発明の概要】
【発明が解決しようとする課題】
【０００９】
本発明は、上記従来の問題点を解消し、ファンなどのモータ類や超音波発生器などを一切用いる必要がなく、よりシンプルで消費電力も著しく少なく、しかも液体を微粒化して放出したときに、これを放出した付近に留まらせておくことのできる、微粒化した液体の放出装置を提供することを目的とするものである。
【課題を解決するための手段】
【００１０】
本発明は、以下の（１）〜（８）に関するものである。
（１）：上部に開口を有する容器内に；
針の両端が上下方向に向いた、マイナスの高電圧が印加される針電極を設け；
前記針電極の下方に第一の円筒電極を設け；
前記針電極の上方に、先端に前記開口を備えた第二の円筒電極を設け；
前記容器の側面に吸込み口を開口させ；
前記吸込み口から前記第一の円筒電極に通じるダクトを設け；
前記ダクト内に前記針電極の下部を露出させ；
前記第一の円筒電極の下方に液体又はゲル状薬剤の収納部を設け；
さらに前記開口の先に、ディフューザーを設け；
前記ダクト内において、前記針電極の下端と前記第一の円筒電極との間でコロナ放電がなされて、前記吸込み口から前記第一の円筒電極を通過し前記液体又はゲル状薬剤の収納部に収納されている液体又はゲル状薬剤の表面へと向かう下向流のイオン風を生じさせ、かつ；
前記針電極の上端と前記第二の円筒電極との間でコロナ放電がなされて、前記液体又はゲル状薬剤の収納部に収納されている液体又はゲル状薬剤の表面から前記第二の円筒電極を通過し前記開口へと向かう上向流のイオン風を生じさせ；
前記下向流のイオン風を利用して、前記液体又はゲル状薬剤の収納部に収納されている液体、或いは前記液体又はゲル状薬剤収納部に収納されているゲル状薬剤中に取り込まれている水溶性薬剤、を蒸散させ微粒化させると共にこの微粒化した液体にマイナスの電荷を帯びさせ、；
前記上向流のイオン風を利用して、この微粒化しマイナスの電荷を帯びた液体を上昇させて前記第二の円筒電極先端の前記開口を通じて前記ディフューザーへと送り；
前記開口から前記ディフューザーへと送られた、微粒化しマイナスの電荷を帯びた液体を、前記ディフューザーにより、減速かつ拡散させながら、外部へ放出させる；
ことを特徴とする、
微粒化した液体の放出装置に関するものである。
（２）：前記第一の円筒電極の直径が、前記第二の円筒電極の直径より大きいものである、前記（１）に記載の装置に関するものである。
（３）：前記液体が、水又は化粧水である、前記（１）又は前記（２）に記載の装置に関するものである。
（４）：前記液体が、芳香成分、除菌成分、及び消臭成分から選ばれた１種以上の成分を含むものである、前記（１）乃至前記（３）のいずれかに記載の装置に関するものである。
（５）：前記ゲル状薬剤が、ゲル化剤に水溶性薬剤を取り込んでいるものである、前記（１）乃至前記（４）に記載の装置に関するものである。
（６）：前記ゲル化剤が、高吸水性樹脂、カラギーナン、ローカストビーンガム、寒天、ゼラチン、グアーガム、ジェランガム、ペクチン、及びキサンタンガムよりなる群から選ばれた１種以上のものである、前記（５）に記載の装置に関するものである。
（７）：前記ゲル状薬剤が、高吸水性樹脂に水溶性薬剤を染み込ませてこれに取り込まれているビーズ状のものである、前記（５）に記載の装置に関するものである。
（８）：前記水溶性薬剤が、芳香成分、除菌成分、及び消臭成分から選ばれた１種以上の成分を含むものである、前記（５）乃至前記（７）のいずれかに記載の装置に関するものである。
【発明の効果】
【００１１】
本発明に係る微粒化した液体の放出装置（以下、単に「本発明の装置」と称することがある。）によれば、ファンなどのモータ類や超音波発生器などを一切用いる必要がなく、よりシンプルで消費電力も著しく少ない。
また、本発明の装置によれば、液体を微粒化して放出したときに、これを放出した付近に長く留まらせておくことができる。
しかも、本発明の装置によれば、これらの効果を奏すると共に、微粒化した液体にマイナスの電荷を帯びさせ放出する装置が提供される。
【００１２】
本発明の装置によれば、微粒化した液体にマイナスの電荷を帯びさせ、空気中などの空間に放出することができる。
放出される微粒化した液体（液滴）は、マイナスに帯電しており、放出された後は、プラスに帯電している場所へと向かう。
一般的な室内においては、人、衣服、壁紙、カーテン等はプラスに帯電しやすくなっている。
従って、本発明の装置により放出された、マイナスの電荷を帯びた微粒化した液体（液滴）は、プラスに帯電している人、衣服、壁紙、カーテン等へと向かうことになる。
このため、本発明の装置によれば、微粒化した液体（液滴）を人の顔などに向けて放出したときに、顔の付近など狭い範囲に長い間漂わせておくことができ、例えば液体として水や化粧水などを用いることにより、顔肌などを保湿したり、整えたり、滑らかにすることができる。
本発明の装置は、就寝時のように寝ている間などにも、顔の脇に置いておくだけで、顔肌などを保湿したり、整えたり、滑らかにすることができ、美肌、美顔器として好適に用いられる。
従って、本発明の装置は、美顔、美肌などの用途に対して、極めて相応しいものとなっている。
【図面の簡単な説明】
【００１３】
【図１】本発明に係る装置の一実施形態を示す正面からみた一部切り欠き説明図である。
【図２】本発明に係る装置の他の実施形態を示す正面からみた一部切り欠き説明図である。
【図３】本発明に係る装置のさらに他の実施形態を示す斜視説明図である。
【図４】本発明に係る装置における微粒化の原理を示す説明図である。
【図５】本発明に係る装置におけるディフューザーを除く部分の一実施形態を示す正面からみた説明図である。
【図６】本発明に係る装置におけるディフューザーを除く部分の一実施形態を示す背面からみた説明図である。
【図７】本発明に係る装置におけるディフューザーを除く部分の一実施形態を示す平面からみた説明図である。
【図８】本発明に係る装置におけるディフューザーを除く部分の一実施形態を示す底面からみた説明図である。
【図９】本発明に係る装置におけるディフューザーを除く部分の一実施形態を示す右側面からみた説明図である。
【図１０】本発明に係る装置におけるディフューザーを除く部分の一実施形態を示す左側面からみた説明図である。
【図１１】図１０の断面説明図である。
【図１２】本発明に係る装置におけるディフューザーを除く部分の一実施形態を示す斜視図である。
【図１３】図１２を別の角度からみた斜視図である。
【図１４】図１３の分解説明図である。
【図１５】本発明に係る装置におけるディフューザーを除く部分を、これを構成する部品に分解したときの、吸込み口付近の部品（中間部外容器）の一例を示す斜視説明図である。
【図１６】図１５に示す部品を別の角度からみた斜視説明図である。
【図１７】本発明に係る装置におけるディフューザーの一実施形態を示す正面からみた説明図である。
【図１８】本発明に係る装置におけるディフューザーの一実施形態を示す説明図であって、上段は平面からみた説明図であり、下段は正面からみた説明図である。
【図１９】本発明に係る装置におけるディフューザーの一実施形態を示す説明図であって、上段は平面からみた説明図であり、下段は正面からみた説明図である。
【図２０】本発明に係る装置におけるディフューザーの一実施形態を示す説明図であって、上段は平面からみた説明図であり、下段は正面からみた説明図である。
【図２１】本発明に係る装置におけるディフューザーの一実施形態を示す説明図であって、上段は平面からみた説明図であり、下段は正面からみた説明図である。
【図２２】本発明に係る装置におけるディフューザーの一実施形態を示す説明図であって、上段は平面からみた説明図であり、下段は正面からみた説明図である。
【図２３】ハンドモイスチャー用のアタッチメントの一例を示す斜視説明図である。
【図２４】ハンドモイスチャー用のアタッチメントを先端に取付けた、本発明に係る装置の一例を示す、斜め上方から見た斜視説明図である。
【図２５】ハンドモイスチャー用のアタッチメントを先端に取付けた、本発明に係る装置の一例を示す、斜め下方から見た斜視説明図である。
【発明を実施するための形態】
【００１４】
本発明は、微粒化した液体の放出装置（即ち、前記液体又はゲル状薬剤の収納部に収納されている液体、或いは前記液体又はゲル状薬剤収納部に収納されているゲル状薬剤中に取り込まれている水溶性薬剤、を微粒化させて放出する装置）に関し、
上部に開口を有する容器内に；
針の両端が上下方向に向いた、マイナスの高電圧が印加される針電極を設け；
前記針電極の下方に第一の円筒電極を設け；
前記針電極の上方に、先端に前記開口を備えた第二の円筒電極を設け；
前記容器の側面に吸込み口を開口させ；
前記吸込み口から前記第一の円筒電極に通じるダクトを設け；
前記ダクト内に前記針電極の下部を露出させ；
前記第一の円筒電極の下方に液体又はゲル状薬剤の収納部を設け；
さらに前記開口の先に、ディフューザーを設け；
前記ダクト内において、前記針電極の下端と前記第一の円筒電極との間でコロナ放電がなされて、前記吸込み口から前記第一の円筒電極を通過し前記液体又はゲル状薬剤の収納部に収納されている液体又はゲル状薬剤の表面へと向かう下向流のイオン風を生じさせ、かつ；
前記針電極の上端と前記第二の円筒電極との間でコロナ放電がなされて、前記液体又はゲル状薬剤の収納部に収納されている液体又はゲル状薬剤の表面から前記第二の円筒電極を通過し前記開口へと向かう上向流のイオン風を生じさせ；
前記下向流のイオン風を利用して、前記液体又はゲル状薬剤の収納部に収納されている液体、或いは前記液体又はゲル状薬剤収納部に収納されているゲル状薬剤中に取り込まれている水溶性薬剤、を蒸散させ微粒化させると共にこの微粒化した液体にマイナスの電荷を帯びさせ、；
前記上向流のイオン風を利用して、この微粒化しマイナスの電荷を帯びた液体を上昇させて前記第二の円筒電極先端の前記開口を通じて前記ディフューザーへと送り；
前記開口から前記ディフューザーへと送られた、微粒化しマイナスの電荷を帯びた液体を、前記ディフューザーにより、減速かつ拡散させながら、外部へ放出させる；
ことを特徴とするものである。
【００１５】
以下、本発明に係る、微粒化した液体の放出装置の一実施形態を図面に基づいて詳細に説明する。
図１は、本発明に係る装置の一実施形態を示す正面からみた一部切り欠き説明図であり、図２は、本発明に係る装置の他の実施形態を示す正面からみた一部切り欠き説明図であり、図３は、本発明に係る装置のさらに他の実施形態を示す斜視説明図である。
図１〜３については、ディフューザー１０の後方（一番出口側；図では上方）に、顔の形状に合わせ顔全体を覆うことのできるボウル状（半球状、椀状、鉢状）のフード１０Ａを備えたものが示されている。
【００１６】
本発明に係る、微粒化した液体の放出装置は、先に出願した、いわば微粒化放出装置に関する特願２０１５−１０５５４３号に係る装置（本発明では、微粒化した液体の放出装置本体Ａと称している）における放出口（開口）の先に、さらにディフューザーを備えたことを特徴とするものである。
なお、図１、２では、ディフューザー１０より前の部分にあたる、図の下方にある、微粒化した液体の放出装置本体Ａに関しては、容器１と開口２以外は、内部構造は省略して記載してある。また、図３では、ディフューザー１０の下方（出口と反対側）には、微粒化した液体の放出装置本体Ａの外部構造のみを示してあり、容器１と開口２も含めた詳しい内部構造は省略されている。従って、省略されて記載されていたりする内部構造については、詳しくは図４以降の図面が参照される。
【００１７】
そこで、本発明に係る装置における「微粒化の原理」を図４に基づいて説明する。
図４は、本発明に係る装置における微粒化の原理を示す説明図である。図１中の矢印は、イオン風の流れを示している。
【００１８】
また、図５は、本発明に係る装置におけるディフューザーを除く部分の一実施形態を示す、正面からみた説明図であり、図６は、これを背面からみた説明図であり、図７は、平面からみた説明図であり、図８は、底面からみた説明図であり、図９は、右側面からみた説明図であり、図１０は、左側面からみた説明図である。図１１は、図１０の断面説明図である。
次に、図１２は、本発明に係る装置におけるディフューザーを除く部分の一実施形態を示す斜視図であり、図１３は、図１２を別の角度からみた斜視図である。また、図１４は、図１３の分解説明図である。
さらに、図１５は、本発明に係る装置におけるディフューザーを除く部分を、これを構成する部品に分解したときの、吸込み口付近の部品（中間部外容器）の一例を示す斜視説明図であり、図１６は、図１５に示す部品を別の角度からみた斜視説明図である。
これら図５〜図１６は、微粒化した液体の放出装置本体Ａの内部構造を示すものといえる。
但し、図面は、いずれも本発明の装置を示す概略図である。従って、製品化に際しては、必要に応じて、適宜より実用的な設計をなすことができる。
【００１９】
図中、符号１は容器であり、この容器１の上部に開口２が備えられている。
本実施形態において、容器１は管状を、より詳しくは円筒管状をなしているが、本発明の精神を逸脱しない限り、これに限定されるものではなく、例えば角筒型の管状のものとすることもできる。
【００２０】
このような容器１内に、針の両端が上下方向に向いた針電極３が設けられている。
この針電極３には、高電圧、特にマイナスの高電圧が印加される。正放電よりも負放電のほうが高い流速のイオン風を得やすいからである。但し、必要に応じて、プラスの高電圧を印加できるようにしておくこともできる。
針電極３にマイナスの高電圧が印加されることで、針電極３の尖った先端（上端３１と下端３２のそれぞれ）からコロナ放電を生じさせることができる。
なお、針電極３に高電圧を印加するために、図示されていないが、別途高圧電源装置が備えられ、針電極３に接続されている。
【００２１】
なお、高圧電源装置からは、−４，０００Ｖ〜−１５，０００Ｖという、マイナスの高電圧の直流電流が印加される。但し、上記したように、必要に応じて、プラスの高電圧の直流電流を、特に４，０００Ｖ〜１５，０００Ｖという、プラスの高電圧の直流電流を印加できるようにしておくこともできる。
【００２２】
針電極３の下方には、詳しくは針電極３の下端３２の下方には容器１の底面１１よりも上方に、第一の円筒電極４（下側の円筒電極４）が設けられている。
【００２３】
また、針電極３の上方には、詳しくは針電極３の上端３１の上方であって、開口２よりも下方には、先端に開口２を備えた第二の円筒電極５（上側の円筒電極５）が設けられている。
【００２４】
このように本発明の装置では、針電極３を、上下の円筒電極、即ち第一の円筒電極４（下側の円筒電極４）と第二の円筒電極５（上側の円筒電極５）とに共通のものとし、無駄を防いでいる。
通常、マイナスの高電圧（−４，０００〜−１５，０００Ｖ）を印加する場合、針電極３側をプラス側（陽極）に、第一の円筒電極４（下側の円筒電極４）と第二の円筒電極５（上側の円筒電極５）側をマイナス側（陰極）とされる。
【００２５】
このようにして針電極３と、第一の円筒電極４（下側の円筒電極４）、第二の円筒電極５（上側の円筒電極５）との間に、高電圧の直流電流を印加することにより、針電極３と第一の円筒電極４（下側の円筒電極４）、第二の円筒電極５（上側の円筒電極５）との間でコロナ放電を行い、針電極３側から第一の円筒電極４（下側の円筒電極４）側へ向かってと、針電極３側から第二の円筒電極５（上側の円筒電極５）側へ向かって、それぞれイオン風が流れるようにしている。
【００２６】
ここで第一の円筒電極４（下側の円筒電極４）と第二の円筒電極５（上側の円筒電極５）とは、円筒電極という点では同様であるが、図示するように、その直径や筒の長さが異なったものとされている。特に、第一の円筒電極４（下側の円筒電極４）の直径を、第二の円筒電極５（上側の円筒電極５）の直径より大きいものとしておくことが好ましく、これにより、第一の円筒電極４（下側の円筒電極４）から放出した電子（e-）を、液体表面により広角的に（広い範囲に）当てることができる。但し、必要に応じて、その直径や筒の長さを同様のものとすることも可能である。
【００２７】
即ち、まず、第一の円筒電極４（下側の円筒電極４）は、放出した電子（e-）を、後記する、液体貯留部９に貯留されている液体の表面に広角的に当てて蒸散させ微粒化させる反応を促進するため、直径を比較的大きく、筒の長さも比較的短くしている。
一方、第二の円筒電極５（上側の円筒電極５）は、上記のようにして微粒化した液体（液滴）について、確実にマイナスの電荷を帯びさせ、かつ、これを層流で噴出させるため、直径を第一の円筒電極４（下側の円筒電極４）より小さくして、直径を比較的小さいものとし、しかも筒の長さは第一の円筒電極４（下側の円筒電極４）より長くして、筒の長さを比較的長いものとしている。
【００２８】
針電極３の下方と上方には、第一の円筒電極４（下側の円筒電極４）と第二の円筒電極５（上側の円筒電極５）が、それぞれ円筒形状に設けられ、接地されて、それぞれ針電極３とこれら二つの電極間でコロナ放電がなされて、針電極３と第一の円筒電極４（下側の円筒電極４）との間では下向流（下降流）のイオン風を、針電極３と第二の円筒電極５（上側の円筒電極５）との間では上向流（上昇流）のイオン風を、それぞれ生じさせている。いずれも円筒電極としていることにより、強いイオン風を生じさせることができる。
なお、コロナ放電は、火花が散るような放電ではなく、また、運転中、万一電極に触れたとしても、静電気程度のものであり、安全性についての心配はない。必要に応じて、適宜、既知の安全回路を組み込むことができる。
【００２９】
さらに、容器１の側面１２には、吸込み口６が開口している。
この吸込み口６付近の形状、構造は、特に図４、図５、図１１、図１２、図１３、図１４、図１５、図１６に詳しく示されている。
【００３０】
容器１の側面１２に開けられた吸込み口６から、第一の円筒電極４（下側の円筒電極４）に通じるダクト７が設けられ、一つの流路を形成している。
これにより、管状の容器１の内側に、ダクト７を出現せしめて、いわゆる二重管構造としている。
即ち、吸込み口６より内側のダクト７を通じて外気を取り込むようにすると共に、このダクト７の外側と管状の容器１の内側との間に、もう一つの流路を形成せしめている。
【００３１】
このダクト７内には、針電極３の下端３２を含む下部だけを露出させており、針電極３の上端３１を含む上部は、このダクト７内には露出させられていない。
このため、上記のように二つの流路が形成されていることと相俟って、一つの針電極３だけで、その上下に存在する、第二の円筒電極５（上側の円筒電極５）と第一の円筒電極４（下側の円筒電極４）との間のコロナ放電に対応し得るものとなっている。
【００３２】
さらに、第一の円筒電極４（下側の円筒電極４）の下方には、液体又はゲル状薬剤８を入れた、液体又はゲル状薬剤の収納部９が設けられている。
【００３３】
液体又はゲル状薬剤の収納部９に収納（貯留）される液体としては、水又は化粧水を挙げることができる。この場合には、美顔器や美肌器、保湿器などとして用いることができる。ここで水としては、水道水、純水などを用いればよい。また、化粧水としては、皮膚を保湿し、整え、滑らかにしたりする機能を有する液状化粧品であればよく、特に制限はない。化粧水に含まれる成分としては、水の他に、例えば、アルコール、グリセリン、プラチナ、銀、ヒアルロン酸、コラーゲン、カテキンなどが挙げられる。
従って、例えば、水にナノプラチナ（粒子）やカテキンなどを配合した、ナノプラチナ（粒子）水やナノプラチナ・カテキン配合水などは、化粧水と言えるが、次に述べる芳香成分、除菌成分、消臭成分を含む液体とも考えられることから、芳香成分、除菌成分、及び消臭成分から選ばれた１種以上の成分を含む液体とも言えるものである。
【００３４】
水又は化粧水の他に、液体又はゲル状薬剤の収納部９に収納される液体としては、芳香成分、除菌成分、及び消臭成分から選ばれた１種以上の成分を含む液体を挙げることができる。この場合には、これら成分の拡散器として用いることができる。
これら芳香成分、除菌成分、及び消臭成分としては、市販されているものなど、公知のものを用いることができる。
例えば、芳香成分としては、植物に由来する天然香料、精油（エッセンシャルオイル）や、これらの他に合成香料を含むアロマオイルなどを挙げることができる。
【００３５】
また、液体又はゲル状薬剤の収納部９には、上記液体の他に、ゲル状薬剤が収納される。
ゲル状薬剤は、ゲル化剤と水溶性薬剤とを組合せたものであって、ゲル化剤に水溶性薬剤を取り込むことにより、ゲル化剤に水溶性薬剤が取り込まれている形にして用いられるものである。
このゲル状薬剤としては、例えばゲル化剤に水溶性薬剤を取り込んだものを密封したものが用いられるが、これに限られることなく、ゲル化剤と水溶性薬剤が別々に配置されたものを開封して、ゲル化剤に水溶性薬剤を取り込むようにしたものであってもよい。
【００３６】
ここで、ゲル化剤としては、高吸水性樹脂、カラギーナン、ローカストビーンガム、寒天、ゼラチン、グアーガム、ジェランガム、ペクチン、キサンタンガムなどを挙げることができ、本発明においては、これらのうちの１種を単独で、或いは、これらの２種以上を組合せて用いることができる。
【００３７】
このうち高吸水性樹脂（Super AbsorbentPolymer;略称 SAP）は、高吸水性ポリマー或いは高吸水性高分子などとも呼ばれ、多量の水を吸水してゲル化し、吸水した水を保持する機能を有する高分子材料である。
この高吸水性樹脂（高吸水性ポリマー）としては、ポリアクリル酸系樹脂などの合成ポリマー系のものと；デンプン系、セルロース系などの天然物由来系のものと；が挙げられ、本発明においては、これらのいずれを用いることができる。
【００３８】
高吸水性樹脂のうち、ポリアクリル酸系樹脂、なかでもポリアクリル酸ナトリウムなどのポリアクリル酸塩系樹脂は、非常に親水性が高く、さらに網目構造に架橋し、３次元に架橋した分子構造を有していることから、高い吸水性・保水性を持つゲルとなっている（自重の数百倍から約千倍までの吸水力・保水力がある）ので、本発明において好ましく用いられる。但し、ポリアクリル酸塩系樹脂は、吸水力・保水力が高いことから、一旦吸収した水などは、多少の圧力をかけてもほとんど放出しないという特質がある。
【００３９】
ゲル状薬剤は、上記した如きゲル化剤に水溶性薬剤を取り込んでいるものである。
上記した如きゲル化剤に水溶性薬剤を取り込んでいるゲル状薬剤とする態様としては、特に制限はない。
例えば、ゲル化剤として、高吸水性樹脂を用いた場合には、高吸水性樹脂に水溶性薬剤を染み込ませるなどして取り込んだ後に、ビーズ状に膨らませることで、「高吸水性樹脂に水溶性薬剤を染み込ませてこれに取り込まれているビーズ状のゲル状薬剤」を得ることができる。また、ビーズ状の他、粉状、短冊状などの各種形状のゲル状薬剤を得ることもできる。
このように、ゲル化剤として、高吸水性樹脂を用いたゲル状薬剤は、本来、ゲル状薬剤中に染み込ませるなどして、これに取り込まれている水溶性薬剤を少しずつ放出することができるものである。
【００４０】
本発明に係る装置によれば、コロナ放電により発生した前記下向流のイオン風を利用して、前記液体又はゲル状薬剤の収納部９に収納されている液体、或いは前記液体又はゲル状薬剤収納部９に収納されているゲル状薬剤中に取り込まれている水溶性薬剤、を霧化、蒸散させ微粒化させて微粒化物とし、さらに、前記上向流（上昇流）のイオン風を利用して、この微粒化物を上昇させて前記第二の円筒電極５先端の前記放出口から外部へ放出させることから、前記液体又はゲル状薬剤の収納部９に収納されている液体、或いは前記液体又はゲル状薬剤収納部９に収納されているゲル状薬剤中に取り込まれている水溶性薬剤（芳香成分、除菌成分、消臭成分）の放出（拡散）速度を速めることができる。従って、これを消臭装置や芳香拡散装置や除菌装置などとした場合に、消臭能力や芳香拡散能力や除菌能力などに優れたものとなる。
さらに、本発明に係る装置によれば、前記液体又はゲル状薬剤の収納部９に収納されている液体、或いは前記液体又はゲル状薬剤収納部９に収納されているゲル状薬剤中に取り込まれている水溶性薬剤（芳香成分、除菌成分、消臭成分）の放出（拡散）速度を自由に変更したりすることができる。
【００４１】
また、例えば、ゲル化剤として、カラギーナン、ローカストビーンガム、寒天、ゼラチン、グアーガム、ジェランガム、ペクチン、キサンタンガムなどを用いた場合には、これらは水溶性薬剤と一緒にするとこれを吸収し、取り込んでゲル化することから、これらを混合することにより、このようなゲル化剤に、水溶性薬剤を取り込むことができる。
【００４２】
ここで、水溶性薬剤は、芳香成分、除菌成分、及び消臭成分から選ばれた１種以上の成分を含むものである。
従って、ゲル状薬剤中には、芳香成分、除菌成分、及び消臭成分から選ばれた１種以上の成分を含む水溶性薬剤が取り込まれている。
【００４３】
それ故、この液体又はゲル状薬剤の収納部９には、水や化粧水などの液体や、ゲル化剤に、芳香成分、除菌成分、及び消臭成分から選ばれた１種以上の成分を含む水溶性薬剤を取り込んでいるゲル状薬剤、が収納される。
【００４４】
これら芳香成分、除菌成分、及び消臭成分としては、市販されているものなど、公知のものを用いることができる。
ここで、芳香成分としては、例えば植物に由来する天然香料、精油（エッセンシャルオイル）や、これらの他に合成香料を含むアロマオイルなどを挙げることができる。
また、除菌成分としては、例えば二酸化塩素、次亜塩素などを挙げることができる。
さらに、消臭成分としては、例えば重曹、クエン酸、カテキン、白金、植物系抽出液などを挙げることができる。
【００４５】
本発明に係る微粒化した液体にマイナスの電荷を帯びさせ放出する装置は、図１１、図１３、図１４などに示したように、これを幾つかの部品に分けて作製し、分解可能なものとしておくことができる。
【００４６】
図１１は、本発明に係る装置におけるディフューザーを除く部分の一実施形態を示す、左側面からみた説明図（図１０）の断面説明図であると共に、分解されたときの構成部品をも示す図でもある。
次に、図１２は、本発明に係る装置におけるディフューザーを除く部分の一実施形態を示す斜視図であり、図１３は、図１２を別の角度からみた斜視図である。また、図１４は、図１３の分解説明図である。
さらに、図１５は、本発明に係る装置におけるディフューザーを除く部分を、これを構成する部品に分解したときの、吸込み口付近の部品（中間部外容器）の一例を示す斜視説明図であり、図１６は、図１５に示す部品を別の角度からみた斜視説明図である。
【００４７】
本発明の装置は、上から順に、第二の円筒電極５（上側の円筒電極５）、上部外容器１３、吸込み口６が開口している中間部外容器１４、及び下部外容器１５と；下部外容器１５内に収容されている内容器１６；に分けられている。この内容器１６は、前記した液体又はゲル状薬剤の収納部９を構成しているものである。
【００４８】
図示してはいないが、液体又はゲル状薬剤の収納部９において、ゲル状薬剤は、カートリッジ式のもの（カートリッジカップ）とし、これを下部容器１５内の液体又はゲル状薬剤の収納部９に収納・装着して用いることができる。
なお、カートリッジ式のもの（カートリッジカップ）の場合、使用時には、カートリッジ式（カートリッジカップ）のゲル状薬剤の表面に貼られている封鎖部材（シール部材）を除去して、ゲル状薬剤表面を露出させる。
【００４９】
なお、上記カートリッジカップを複数、例えば２連のものとすることができ、この場合、ゲル状薬剤の種類や用途を異なるものとすることができる。
具体的には例えば、２連タイプとした場合には、朝夕などで、ゲル状薬剤中に取り込まれている水溶性薬剤、例えば芳香成分の種類を換えることが、１連のものよりも容易となる。
【００５０】
また、前記したように、この液体又はゲル状薬剤の収納部９に収納されているゲル状薬剤は、前記ゲル化剤に、前記水溶性薬剤を、取り込んでいるものである。
【００５１】
なお、内容器１６の上部には、第一の円筒電極４（下側の円筒電極４）が備えられている。
また、針電極３は、吸込み口６が開口している中間部外容器１４の針電極取付け部１７に上下方向を向いて取り付けられており、針電極３の上端３１は、上部外容器１３内に存在せしめられ、針電極３の下端３２は、吸込み口６が開口している中間部外容器１４内に存在せしめられるようになっている。
【００５２】
本発明の装置においては、ダクト７内において、針電極３の下端３２と第一の円筒電極４（下側の円筒電極４）との間でコロナ放電がなされて、吸込み口６から第一の円筒電極４（下側の円筒電極４）を通過し液体又はゲル状薬剤の収納部９に収納されている液体又はゲル状薬剤の表面へと向かう下向流（下降流）のイオン風を生じさせる。
【００５３】
一方、本発明に係る装置においては、ダクト７外において、針電極３の上端と第二の円筒電極５（上側の円筒電極５）との間でコロナ放電がなされて、液体又はゲル状薬剤の収納部９に収納されている液体又はゲル状薬剤の表面から第二の円筒電極５（上側の円筒電極５）を通過し放出口２へと向かう上向流（上昇流）のイオン風を生じさせる。
【００５４】
そして、本発明の装置においては、コロナ放電により発生した上記下向流（下降流）のイオン風を利用して、液体又はゲル状薬剤の収納部９に収納されている液体、或いは液体又はゲル状薬剤収納部９に収納されているゲル状薬剤中に取り込まれている水溶性薬剤、を霧化、蒸散させ微粒化させると共に、この微粒化した液体にマイナスの電荷を帯びさせる。
即ち、コロナ放電により発生した上記下向流（下降流）のイオン風を、液体又はゲル状薬剤の収納部９に収納されている液体、或いは液体又はゲル状薬剤収納部９に収納されているゲル状薬剤中に取り込まれている水溶性薬剤に当てて、これを蒸散させ微粒化させると共に、この微粒化した液体にマイナスの電荷を帯びさせる。
【００５５】
次いで、コロナ放電により発生した上記上向流（上昇流）のイオン風を利用して、この微粒化しマイナスの電荷を帯びた液体を上昇させて、第二の円筒電極５（上側の円筒電極５）先端の開口２へと移動させる。
【００５６】
このときの微粒化しマイナスの電荷を帯びた液体は、いわば層流をなしており、そのままこれを放出させた場合、遠くへは飛ぶ（放出される）ものの、いい意味で放出させる勢いが良すぎていて、放出した付近に留まらせることは難しかった。
【００５７】
そこで本発明に係る装置においては、さらにこの開口２の先（後ろ側・出口側）に、ディフューザー（diffuser；拡散、散布する器具）１０を設け、このディフューザー１０により、微粒化しマイナスの電荷を帯びた液体は、減速かつ拡散させられ、いわば層流状態から乱流状態へと変化（遷移）させられる。
このディフューザー１０の採用によって、装置の１００ｍｍ程度上方の流速を落とすことが可能となり、この結果、微粒化した液体（液滴）を放出したときに、顔の付近など狭い範囲に長い間漂わせておくことができる。
【００５８】
即ち、本発明に係る装置は、前記上向流のイオン風を利用して、微粒化しマイナスの電荷を帯びた液体を上昇させて前記第二の円筒電極５先端の前記開口２を通じて前記ディフューザー１０へと送り、前記開口から前記ディフューザー１０へと送られた、微粒化しマイナスの電荷を帯びた液体を、前記ディフューザー１０により、減速かつ拡散させながら、いわば層流状態から乱流状態へと変化（遷移）させ、外部へ放出させるものである。
【００５９】
本発明に係る装置におけるディフューザー１０は、開口２から送られてくる（排出・放出されてくる）、微粒化しマイナスの電荷を帯びた液体を、減速かつ拡散させながら、外部へ放出させる機能を有するものである。例えば、空調用などに用いられているディフューザー（空調用吹き出し口）を用途に合わせて修正して用いることができる。
【００６０】
このディフューザー１０として、具体的には例えば、多層コーン型ディフューザー、メッシュ状ディフューザー、羽根型ディフューザーなどを挙げることができる。
【００６１】
ここで多層コーン型ディフューザーとは、空調用吹き出し口として広く用いられている形状のディフューザーであって、図１７や図１８の下段に示すように、コーン型、つまり錐型をなし、しかも多層であるから、吹き出し口が複数あるディフューザーを指している。
図１７や図１８では、いずれも略ドーナツ型をした同軸の吹き出し口が複数（それぞれ２箇所と４箇所）あるディフューザーを示しているが、これに限定されるものではない。
なお、多層コーン型ディフューザーの全体形状としては、丸型の略ドーナツ型のものであってもよいし、角型のものであってもよい。
【００６２】
次に、メッシュ状ディフューザーとは、図１９に示すように、メッシュ状、つまり網目状の吹き出し口を有するディフューザーを指している。網目の程度は特に限定されない。
【００６３】
また、プロペラ型ディフューザーとは、図２０〜図２２に示すように、内部にプロペラ（羽根）を有するディフューザーを指している。プロペラは、少なくとも２本以上あればよい。また、プロペラには角度をつけておいてもよい。さらに、プロペラは回転するようにしたものであってもよい。
【００６４】
本発明に係る装置においては、このディフューザーにより、微粒化しマイナスの電荷を帯びた液体を、減速かつ拡散させながら、外部へ放出させるものであるから、上記のような多層コーン型ディフューザー、メッシュ状ディフューザー、羽根型ディフューザーであり、しかも図１７〜図２２に示すように、内部の流路が拡開するように構成されている。
【００６５】
上記したように、本発明に係る装置においては、このディフューザーにより、微粒化しマイナスの電荷を帯びた液体を、減速かつ拡散させながら、外部へ放出させるものであるから、必要に応じて、純粋なディフューザーではなく、簡易ディフューザーとでもいうような「邪魔板」のようなものを、拡開する流路内に設置したものであってもよい。
【００６６】
このようにして、微粒化した液体にマイナスの電荷を帯びさせ、第二の円筒電極５（上側の円筒電極５）先端の開口２から放出させた後、この開口から放出される、微粒化しマイナスの電荷を帯びた液体を、ディフューザー１０により、減速かつ拡散させながら、外部へ放出させる。
【００６７】
本発明に係る装置においては、微粒化した液体（液滴）を人の顔などに向けて放出できるように、ディフューザー１０の後方（一番出口側）に、ディフューザー１０を覆う、フード（覆い）１０Ａを備えたものとすることができる。
【００６８】
フード１０Ａとしては、図１に示すように、先端が横方向に曲げられたもの（例えばエルボウ状に曲げられたもの）や、図２、図３に示すように、顔の形状に合わせ、少なくとも顔の大半（好ましくは、顔全体）を覆うことのできる、例えば、ボウル状（半球状、椀状、鉢状）のものが挙げられる。
なお、必要に応じて、これらフードを取り替えて取付けられるように、アタッチメント（付属品）として構成しておくこともできる。
フード１０Ａの材質としては、特に限定されないが、マイナスに帯電し易い材質のもの（例えば、金属製など）が好ましい。
【００６９】
図１に示すように、先端が、例えばエルボウ状に曲げられたフード１０Ａを備えたものとしておくと、この先端を顔の付近に向けておくことにより、微粒化した液体（液滴）を放出したときに、顔の付近など狭い範囲に長い間漂わせておくことができる。
【００７０】
本発明に係る装置においては、図１に示すように、先端が、例えばエルボウ状に曲げられたフード１０Ａを備えたものとしておくことにより、微粒化した液体（液滴）を人の顔などに向けて放出したときに、顔の付近など狭い範囲に長い間漂わせておくことができることから、美顔器、美肌器などとして用いる場合にも、必ずしも顔の形状に合わせ顔全体を覆うことのできるような、ボウル状（半球状、椀状、鉢状）のフードを備える必要はない。
【００７１】
しかし、図２、図３に示すようにディフューザー１０の後方（一番出口側）に、顔の形状に合わせ顔全体を覆うことのできるボウル状（半球状、椀状、鉢状）のフード１０Ａを備えることにより、より美顔、美肌効果を強めることができる。
前記したように、図３は、本発明に係る装置のさらに他の実施形態を示す斜視説明図であって、ディフューザー１０の後方（一番出口側；図では上方）に、顔の形状に合わせ顔全体を覆うことのできるボウル状（半球状、椀状、鉢状）のフード１０Ａを備えたものの一例を示す斜視説明図である。
このように顔の形状に合わせ顔全体を覆うことのできる、ボウル状（半球状、椀状、鉢状）のフード１０Ａを備えたものとすることにより、顔肌などに向けて放出・噴霧させる美顔器、美肌器などとして用いることができる。
【００７２】
上記のように、本発明に係る装置においては、微粒化した液体（液滴）を人の顔などに向けて放出できるように、ディフューザー１０の後方（一番出口側）に、ディフューザー１０を覆う、フード（覆い）１０Ａを備えたものとすることができるが、さらに、図２３、図２４、図２５に示すように、このフード（覆い）１０Ａを装置の下側付近まで延設し、この先に、手（片手又は両手）を差し込むことのできる空間１０Ｂを設けて、ハンドモイスチャー用のものとすることもできる。
図２３は、このようなハンドモイスチャー用のアタッチメントの一例を示す斜視説明図である。また、図２４は、このハンドモイスチャー用のアタッチメントを、微粒化した液体の放出装置本体Ａの先端（上端）に取付けた、本発明に係る装置の一例を示す、斜め上方から見た斜視説明図であり、図２５は、これを斜め下方から見た斜視説明図である。
なお、図２３〜図２５に示すハンドモイスチャー用のアタッチメントは、あくまで典型的な一例を示すものであり、これと同様の効果を奏することができるものであれば、この形状、構造に限定されるものではない。
この場合、手（片手又は両手）を差し込むことのできる空間１０Ｂから、微粒化した液体（液滴）をゆっくりと放出させ、この空間に長い間滞留させることができることから、例えば液体として保湿成分などを加えたものを用いることにより、この空間に差し込んだ手を保湿したり、整えたり、滑らかにしたりすることができる。
【００７３】
さらに、本発明においては、必要に応じて、別途、温熱化手段を設けて、霧化、蒸散させられた液体（ミスト）を温めることもでき、この場合には、美顔用・美肌用スチーマーや美肌用ハンドスチーマーなどとして用いることができる。
【００７４】
以上の構成による本発明の装置によれば、ファンなどのモータ類や超音波発生器などを一切用いる必要がなく、よりシンプルで消費電力も著しく少なく、しかも液体を微粒化して放出したときに、これを放出した付近に留まらせておくことができる。
このため、本発明の装置によれば、微粒化した液体（液滴）を人の顔などに向けて放出したときに、顔の付近など狭い範囲に長い間漂わせておくことができ、例えば液体として水や化粧水などを用いることにより、顔肌などを保湿したり、整えたり、滑らかにすることができる。
【００７５】
また、本発明の装置によれば、顔を覆うフードを備えたものとして、そのフードの中に顔を入れておくばかりでなく、顔に向けて曲げられた先端を有するものとすることにより、就寝時のように寝ている間などにも、顔の脇に置いておくだけで、顔肌などを保湿したり、整えたり、滑らかにすることができ、美肌、美顔器として好適に用いられる。
【００７６】
さらに、上記した本発明に係る微粒化した液体にマイナスの電荷を帯びさせ放出する装置を、加湿空気清浄装置と組合せて、微粒化した液体にマイナスの電荷を帯びさせ放出する機能と加湿空気清浄機能とを備えたものとすることができる。
ここで加湿空気清浄装置としては、市販されているものなど、公知のものを用いることができ、特に限定されない。
このように、微粒化した液体にマイナスの電荷を帯びさせ放出する装置と加湿空気清浄装置とを備えたものとした場合、両装置を一緒に運転させても、或いは、それぞれ別々に運転させてもよく、季節や時間など様々な条件に応じて、適宜選定することができる。
【００７７】
以上、本発明につき好適な形態例を挙げて種々説明してきたが、本発明はこの形態例に限定されるものではなく、本発明の精神を逸脱しない範囲内で多くの改変を施し得るのは勿諭のことである。
【産業上の利用可能性】
【００７８】
ここで本発明に係る微粒化した液体にマイナスの電荷を帯びさせ放出する装置を、例えば芳香成分を放出させる装置（芳香拡散装置）に適用した場合、ファンなどのモータ類や超音波発生器などを一切用いる必要がなく、よりシンプルで消費電力も著しく少なくて効率が良い上に、人に芳香を与える効果をより強くすることができることから、アロマテラピーをはじめ、認知症の予防など、幅広い分野で利用することが期待される。
【符号の説明】
【００７９】
１  容器
２  開口
３  針電極
４  第一の円筒電極（下側の円筒電極）
５  第二の円筒電極（上側の円筒電極）
６  吸込み口
７  ダクト
８  液体又はゲル状薬剤
９  液体又はゲル状薬剤の収納部
１０  ディフューザー
１０Ａ  フード
１１  容器１の底面
１２  容器１の側面
１３  上部外容器
１４  中間部外容器
１５  下部外容器
１６  内容器
１７  針電極取付け部
３１  針電極の上端
３２  針電極の下端
Ａ  微粒化した液体の放出装置本体
【図１】
0006604627.tif 000002
【図２】
0006604627.tif 000003
【図３】
0006604627.tif 000004
【図４】
0006604627.tif 000005
【図５】
0006604627.tif 000006
【図６】
0006604627.tif 000007
【図７】
0006604627.tif 000008
【図８】
0006604627.tif 000009
【図９】
0006604627.tif 000010
【図１０】
0006604627.tif 000011
【図１１】
0006604627.tif 000012
【図１２】
0006604627.tif 000013
【図１３】
0006604627.tif 000014
【図１４】
0006604627.tif 000015
【図１５】
0006604627.tif 000016
【図１６】
0006604627.tif 000017
【図１７】
0006604627.tif 000018
【図１８】
0006604627.tif 000019
【図１９】
0006604627.tif 000020
【図２０】
0006604627.tif 000021
【図２１】
0006604627.tif 000022
【図２２】
0006604627.tif 000023
【図２３】
0006604627.tif 000024
【図２４】
0006604627.tif 000025
【図２５】
0006604627.tif 000026